(57)【要約】【課題】野菜や草花の種子を畑地や菜園などに一粒毎に点播可能なハンドタイプの播種器の提供を図る。【解決手段】種子収納容器と本体と搬送管とで構成されるハンドタイプの播種器であって、前記本体には種子選定機構を備え、種子通過孔と遮断壁を形成する摺動板と種子の数量を限定する棒状のストッパーピンと磁力の反発作用で往復起動するマグネット部とを備える前記スライドレバーを、前記種子導入穴と前記種子排出穴との間に直交させて、種子の通過を遮断可能とすると共に、前記種子選定リング内に複数の種子が装填されるのを防ぐ機能及び任意の個数の種子の装填を可能とするために、該ストッパーピンを種子選定リング内部から外部までスライドして位置決め固定できる構造としたことを特徴とするハンドタイプの播種器【選択図】  図1
2012170451.tif 000002
【特許請求の範囲】
【請求項１】
種子収納容器と本体と搬送管とで構成されるハンドタイプの播種器であって、
前記種子収納容器は、中空の透明素材で形成し、
該中空部を種子収納貯蔵部として利用し、
一端を種子投入口として形成して密封キャップで止栓し、
他端を種子収納容器排出口として前記本体の種子導入穴又は種子導入ホルダーに着脱自在に連結可能な形状に形成して成り、
前記本体は、種子選定機構を備え、該種子選定機構の前後には前記種子導入穴と種子排出穴が連通するように穿設し、該種子導入穴と該種子排出穴の間にはスライドレバーを摺動状態でスライド可能にするためのスライド溝穴を形成し、
前記種子導入穴の本体端部は、前記種子収納容器排出口又は前記種子導入ホルダーを着脱自在に連結可能な形状に形成し、該種子導入穴の内部には、中心に種子選定通過孔を設けた種子選定リングを内設する前記種子導入ホルダーを着脱自在に設けると共に、
該種子搬出穴の本体端部は、前記搬送管を着脱自在に連結可能に形成し、
前記種子選定機構は、種子通過孔と遮断壁を形成する摺動板と種子の数量を限定する棒状のストッパーピンと磁力の反発作用で往復起動するマグネット部とを備える前記スライドレバーを、前記種子導入穴と前記種子排出穴との間に直交させて、種子の通過を遮断可能とすると共に、前記種子選定リング内に複数の種子が装填されるのを防ぐ機能及び任意の個数の種子の装填を可能とするために、該ストッパーピンを種子選定リング内部から外部までスライドして位置決め固定できる構造とし、
前記搬送管は、中空の透明素材で形成し、前記本体の種子排出穴の本体端部に着脱自在に連結可能な形状に形成して成ることを特徴とするハンドタイプの播種器。
【請求項２】
前記搬送管の先端部に耕作具を備えた構成の前記ハンドタイプの播種器であって、
該耕作具には、土中に種子を播種するため播種用溝掘り機能と、播種後に種子を土壌で被覆するための土寄せ機能を果たす耕作用突起を形成すると共に、前記搬送管より搬送された種子を該搬送管の延長方向から向きを変えて放出させるための放出口を設けたことを特徴とする請求項１に記載のハンドタイプの播種器。
【請求項３】
前記種子選定機構の複数の種子選定リングが、孔径が異なる種子選定通過孔を一列に列設するスライドプレートに着脱自在に装着され、該スライドプレートが、前記種子導入ホルダーの端部と前記スライドレバーの間に当接して摺動することで、種子選定通過孔の選択機能を有する種子選定機構であることを特徴とする請求項１又は請求項２に記載のハンドタイプの播種器。
【請求項４】
前記種子選定機構の複数の種子選定リングが、孔径が異なる種子選定通過孔を円周状に列設する回転プレートに着脱自在に装着され、該回転プレートが、前記種子導入ホルダーの端部と前記スライドレバーの間に当接して摺動することで、種子選定通過孔の選択機能を有する種子選定機構であることを特徴とする請求項１又は請求項２に記載のハンドタイプの播種器。
【発明の詳細な説明】
【技術分野】
【０００１】
本発明は、野菜や草花の種子を畑地や菜園などに一粒毎に点播可能なハンドタイプの播種器に関する。
【背景技術】
【０００２】
従来の大根や人参などの野菜の小粒種子の播種方法は、作業者が畑や菜園で袋詰めされた種子を掌に移し、指で揉み出しながら土壌に点播する方法が主に採られている。しかしながら、その種子の播種状態に適した量を適度に指で揉み出しながら点播するには、熟練度を必要とする一方、高価な種子を一粒毎に点播することは容易な作業ではなかった。
【０００３】
また、適量の種子を均等且つ、連続して播種するには、さらに熟練度を必要とするもので、初心者においては種子量を必要以上に播種してしまうことにより、その後の生育段階での間引き作業を必要としたり、種子の購入コストの増大につながるものであった。
【０００４】
一方、野菜や草花の種子を畑や菜園などの土壌に一粒毎に点播するハンドタイプの播種器においては、下記の要件が満たされていることが望ましいとされる。
（a）小型、軽量で持ち運びし易いこと。
（b）ハンドタイプで、片手で持ちやすいこと。
（c）播種用溝掘り機能と土寄せ機能があること。
（d）腰を曲げない姿勢で播種作業ができること。
（e）操作が簡単であること。
（f）装置のメンテナンス作業が簡単な構造であること。
（g）種子の種類や大きさに合わせて播種できる構造であること。
（h）安価であること。
（i）一粒毎ならびに多粒毎の切り替えができる構造であること。
（j）種子の表面を傷つけない構造であること。
（k）種子の残量が外部から視認できる構造であること。
（l）作業者の意図に合わせて種子の搬送が確実に行える構造であること。
【０００５】
従来より、以上の要件を満たそうとするハンドタイプの播種器が提案されている。
例えば、種子ホッパーの中に入れた種子が、上板、中板、下板を３枚重ねにした本体フレームの上板の孔から、中板の幅の中央部に嵌め込まれて且つ、摺動可能な種子押し棒が常時スプリングで押し出された初期の位置で待機する孔に落下して、その孔の容積により小粒な種子の大きさや数量が決まり、次に前記押し出し棒の所定の位置まで押し込むことにより前進幅で、下板の中央部の孔の下部の出口パイプから下方に種子が落下する構造の「種まき器」（特許文献１参照）が提案され、公知技術となっている。
【０００６】
しかしながら、上記の「種まき器」（特許文献１参照）の提案は、前述の（c）、（d）、（g）、（i）、（j）、（l）の要件を満たしておらず、特に押し出し棒によって押し込まれた種子が、中央部の孔の壁面に摺れて表面を傷つける構造であることが指摘されるものである。
【０００７】
また、上部枠とＶ字形の下部枠で構成する中空軸の先端端部に、下方を開放した菱形開口部を有する仕切り板を設け、この仕切り板下方前方に、前記下部枠と連続するＶ字形の送り出し溝を設け、この送り出し溝の内面と前記仕切り板の菱形開口部に内接するそろばん玉状の弾性部材からなる回転体を設けて、前記仕切り板の下方に種子通過可能な大きさの流出口と、前記送り出し溝との接点に種子より小さい送り出し口を形成した「種蒔き器」（特許文献２参照）が提案され、公知技術となっている。
【０００８】
しかしながら、上記の「「種蒔き器」（特許文献２参照）の提案は、前述の（c）、（d）、（g）、（i）、（j）、（k）、（l）の要件を満たしておらず、特に種蒔き器の全長が短いため、播種作業が腰を曲げないとできないことと、種子を回転体とＶ字形の下部枠で挟み込んで送り出す手法を採用しているため、種子が連続して送られることにより作業者の意図に合わせて種子の搬送が確実に行えない問題が指摘されるものである。
【０００９】
また、本出願人が係わる種子を収納するための容器と、播種操作及び播種量を調整する本体と、種子播種位置へ導く誘導部とで構成される「播種器」（特許文献３参照）が提案され、公知技術となっている。
【００１０】
しかしながら、上記の「播種器」（特許文献３参照）の提案は、前述の（g）、（i）、（j）の要件を満たしておらず、特に種子を一粒毎する工程で平板による分離方式を採用していることで、種子を傷つけてしまう構造である問題が指摘されるものである。
【００１１】
本出願人は、それらの問題を解決し、さらに前述の播種器に求められる要件を満たすことができる一粒毎に点播するハンドタイプの播種器を開発し、また同時に一粒播きのみならず、任意の個数の種子を選択的に播種可能とした。
【先行技術文献】
【特許文献】
【００１２】
【特許文献１】特開２００４-２８３０３５号公報
【特許文献２】特表２００９-２５４２７７号公報
【特許文献３】特開２０１０-２６８７４４号公報
【発明の概要】
【発明が解決しようとする課題】
【００１３】
本発明は、上記問題点に鑑み、野菜や草花の種子を畑地や菜園などに一粒毎に点播可能なハンドタイプの播種器の提供を図る。
【課題を解決するための手段】
【００１４】
本発明のハンドタイプの播種器は、種子収納容器と本体と搬送管とで構成されるハンドタイプの播種器であって、前記種子収納容器は、中空の透明素材で形成し、該中空部を種子収納貯蔵部として利用し、一端を種子投入口として形成して密封キャップで止栓し、他端を種子収納容器排出口として前記本体の種子導入穴又は種子導入ホルダーに着脱自在に連結可能な形状に形成して成り、前記本体は、種子選定機構を備え、該種子選定機構の前後には前記種子導入穴と種子排出穴が連通するように穿設し、該種子導入穴と該種子排出穴の間にはスライドレバーを摺動状態でスライド可能にするためのスライド溝穴を形成し、前記種子導入穴の本体端部は、前記種子収納容器排出口又は前記種子導入ホルダーを着脱自在に連結可能な形状に形成し、該種子導入穴の内部には、中心に種子選定通過孔を設けた種子選定リングを内設する前記種子導入ホルダーを着脱自在に設けると共に、該種子搬出穴の本体端部は、前記搬送管を着脱自在に連結可能に形成し、前記種子選定機構は、種子通過孔と遮断壁を形成する摺動板と種子の数量を限定する棒状のストッパーピンと磁力の反発作用で往復起動するマグネット部とを備える前記スライドレバーを、前記種子導入穴と前記種子排出穴との間に直交させて、種子の通過を遮断可能とすると共に、前記種子選定リング内に複数の種子が装填されるのを防ぐ機能、及び任意の個数の種子の装填を可能とするために、該ストッパーピンを種子選定リングの内部から外部までスライドして位置決め固定できる構造とし、前記搬送管は、中空の透明素材で形成し、前記本体の種子排出穴の本体端部に着脱自在に連結可能な形状に形成して成る手段を採る。
【００１５】
また本発明は、前記搬送管の先端部に耕作具を備えた構成の前記ハンドタイプの播種器であって、該耕作具には、土中に種子を播種するため播種用溝掘り機能と、播種後に種子を土壌で被覆するための土寄せ機能を果たす耕作用突起を形成すると共に、前記搬送管より搬送された種子を該搬送管の延長方向から向きを変えて放出させるための放出口を設けた手段を採る。
【００１６】
また本発明は、前記種子選定機構の複数の種子選定リングが、孔径が異なる種子選定通過孔を一列に列設するスライドプレートに着脱自在に装着され、該スライドプレートが、前記種子導入ホルダーの端部と前記スライドレバーの間に当接して摺動することで、種子選定通過孔の選択機能を有する種子選定機構である手段を採る。
【００１７】
また本発明は、前記種子選定機構の複数の種子選定リングが、孔径が異なる種子選定通過孔を円周状に列設する回転プレートに着脱自在に装着され、該回転プレートが、前記種子導入ホルダーの端部と前記スライドレバーの間に当接して摺動することで、種子選定通過孔の選択機能を有する種子選定機構である手段を採る。
【発明の効果】
【００１８】
本発明に係るハンドタイプの播種器によれば、種子選定機構が、スライドレバーの遮断壁と棒状のストッパーピンで分離される構造であるため、一粒蒔きや複数播き、或いは連続蒔きの場合であっても種子を傷つけることなく種子の種類や大きさに合わせて遮断（分離）、搬送、播種できる優れた効果を奏する。
【００１９】
また、本発明に係るハンドタイプの播種器によれば、種子収納容器と本体と搬送管と播種具とが、直線状に連結される小型、軽量で且つ、安価である上、片手で持ちやすい棒状のハンドタイプの構造であると共に、農業用の播種器としてや家庭用の種蒔き器として手軽に購入できることや、畑や菜園などの播種作業が腰を曲げない楽な姿勢でできる優れた効果を奏する。
【００２０】
また、本発明に係るハンドタイプの播種器によれば、搬送管の先端に耕作具を備えれば、土中に種子を播種するための播種用溝掘り作業と播種後に種子を土壌で被覆するための土寄せ作業が同時にできる優れた効果を奏する。
【００２１】
また、本発明に係るハンドタイプの播種器によれば、極めて簡単な構造で形成されているため、種子送り操作が簡単であることや、作業者の意図に合わせて種子の搬送が確実に行えることから機械操作に疎い年配者や主婦などにおいても装置のメンテナンス作業が容易に行える共に、種子収納容器が中空の透明素材から形成されていることから、種子の残量が外部から視認できる優れた効果を奏する。
【００２２】
また、本発明に係る請求項３及び４の発明では、種子選定機構の種子選定リングを交換することなく、スライドプレートや回転プレートに差し替えることで種子の種類や大きさに合わせて播種作業ができる優れた効果を奏する。
【図面の簡単な説明】
【００２３】
【図１】本発明の実施形態を示す拡散分解図である。
【図２】本発明の実施形態を示す説明図である。
【図３】本発明に係る種子選定機構の説明図である。
【図４】本発明の作動状態を示す要部断面説明図である。
【図５】本発明の播種作業手順を示す説明図である。
【図６】本発明に係る請求項３記載の実施形態を示す拡散分解図である。
【図７】本発明に係る請求項３記載の実施形態を示す断面説明図である。
【図８】本発明に係る請求項４記載の実施形態を示す拡散分解図である。
【図９】本発明に係る請求項４記載の実施形態を示す断面説明図である。
【発明を実施するための形態】
【００２４】
本発明のハンドタイプの播種器は、特に、種子選定機構において、種子通過孔と遮断壁を形成する摺動板と種子の数量を限定する棒状のストッパーピンと磁力の反発作用で往復起動するマグネット部とを備える前記スライドレバーを、前記種子導入穴と前記種子排出穴との間に直交させて、種子の通過を遮断可能とすると共に、前記種子選定リング内に複数の種子が装填されるのを防ぐ機能及び任意の個数の種子の装填を可能とするために、該ストッパーピンを種子選定リング内部から外部までスライドして位置決め固定できる構造としたことで、種子の数を任意に特定できるようにしたことを最大の特徴とするものである。以下、実施例を図面に基づいて説明する。
【実施例１】
【００２５】
図１は、本発明のハンドタイプの播種器における請求項１記載の実施形態を示す拡散分解図である。
本発明のハンドタイプの播種器１は、把手と種子収納部を兼ねる種子収納容器３０と、種子選定機構１２を着脱自在に備える本体１０と、播種作業負担を軽減する長手仕様の搬送管４０と、を直線状に連結して形成されるものである。
【００２６】
図２は、本発明のハンドタイプの播種器における請求項１記載の実施形態を示す説明図であり、図２（a）は、本発明のハンドタイプの実施形態を示す断面説明図である。ハンドタイプの播種器１は、種子収納容器３０と本体１０と搬送管４０とで構成され、具体的な形状寸法は、例えば、種子収納容器３０はパイプ長150ｍｍ、パイプ径25ｍｍ。本体１０は50×25×30ｍｍ。搬送管４０はパイプ長350ｍｍ、パイプ径15ｍｍ、全長550ｍｍで形成する。
【００２７】
本体１０は、種子選定機構１２を備え、該種子選定機構１２の前後には種子導入穴１１と種子排出穴１７が連通するように穿設し、該種子導入穴１１と該種子排出穴１７の間にはスライドレバー２０を摺動状態でスライド可能にするためのスライド溝穴１９を形成し、種子導入穴１１の本体端部は、種子収納容器排出口３３又は種子導入ホルダー１５を着脱自在に連結可能な形状に形成し、該種子導入穴１１の内部には、種子選定リング１３を内設する種子導入ホルダー１５を着脱自在に設けると共に、該種子搬出穴１７の本体端部は、搬送管４０を着脱自在に連結可能に形成されるもので、種子を一粒毎にまたは連続的に放出し、さらに、種子Ｓの表面を傷つけない構造を有するものである。
【００２８】
種子選定機構１２は、種子通過孔２８と遮断壁２３を形成する摺動板２１と種子Ｓの数量を限定する棒状のストッパーピン２６と磁力の反発作用で往復起動するマグネット部２５とを備えるスライドレバー２０を、種子導入穴１１と種子排出穴１７との間に直交させて、種子Ｓの通過を遮断可能とすると共に、種子選定リング１３内に複数の種子Ｓが装填されるのを防ぐ機能を本体１０に取り付け、種子Ｓの大きさや種類に合わせて着脱自在に設けられるものである。そして、該ストッパーピン２６は、スライドレバー２０の保持部により
【００２９】
種子選定リング１３は、ピン孔１６を備える種子導入ホルダー１５内にセットビスで固定され、種子Ｓの大きさによって種子選定通過孔２２が異なる差し替え自在な図（ｂ）に示すようなコマ状のリングで、ピン溝１４を片面に設けて棒状のストッパーピン２６の摺動を可能とすることで、種子選定リング内に複数の種子が装填されるのを防ぐ機能及び任意の個数の種子の装填を可能としている。
【００３０】
種子導入ホルダー１５は、種子選定リング１３を内設してセットビスで固定されるもので、ピン孔１６で棒状のストッパーピン２６の通過を可能としている。種子収納容器３０内の種子Ｓを集結するホッパーの役目と、種子選定リング１３の種子選定通過孔２２に種子Ｓを序列する役目と、種子収納容器３０を本体１０に連結する役割を果たす構造を有して形成されている。
【００３１】
スライドレバー２０は、種子導入穴１１と該種子排出穴１７の間で、種子通過孔２８と遮断壁２３を形成する摺動板２１と種子の数量を限定する棒状のストッパーピン２６と磁力の反発作用で往復起動するマグネット部２５とをラチェットストッパー６２の作動範囲でスライド可能とするスライド溝穴１９を備えて形成され、本体１０の側面に種子選定機構１２と直交して設けられる。
【００３２】
マグネット部２５は、本体１０側とスライドレバー２０側に対向して設けられ、磁力の反発作用でスライドレバー２０が往復起動するもので、従来のスプリング等を使用した付勢手段と比較して構造が極めて簡単且つ、軽量で誤作動がないものである。
【００３３】
ストッパーピン２６は、上端面にピン溝１４が形成される種子選定リング１３と、該種子選定リング１３を内設するピン穴１６を外筒に形成する種子導入ホルダー１５とからなる種子選定機構１２のピン穴１６を貫通し、さらにピン溝１４を摺動して種子導入ホルダー１５の種子通過孔２８の上方端を遮断して種子Ｓの数量を限定する棒状のピンである。形状が棒状のピンであることから、最小限の接触面積で種子Ｓに接触し、さらに接触面に空間隙間があることによって無理な状態で種子Ｓが遮断される場合は、種子Ｓが回転して逃げられる状態になることから、種子Ｓの表面を傷つけることなく遮断することができる。なお、該ストッパーピン２６の取付位置は、種子選定リング１３との関係において、距離を調整できるようになっている。また、ピン先端の突き出し量を調整できるようにすることも有効であり、係る調節機構を設けた場合は、その調整により、連続蒔きの場合でも、スライドレバー２０をフルプッシュした状態で、排出量を抑制して一気に種子が排出されてしまうのを防ぎ、穏やかな連続排出状態に調整することができるようになる。係る突き出し量の調整は、構造的にはネジ式等が考え得る。
【００３４】
種子収納容器３０は、中空の透明素材で形成され、該中空部を把手を兼ねる種子収納貯蔵部として利用し、一端を種子投入口３１として形成して密封キャップ３４で止栓し、他端を種子収納容器排出口３３として本体１０の種子導入穴１１又は種子導入ホルダー１５に着脱自在に連結可能な形状に形成されているため、播種作業中に種子Ｓの残量を外部から視認することができる。
【００３５】
搬送管４０は、中空の透明素材で形成し、本体１０の種子排出穴１７の本体端部に着脱自在に連結可能な形状に形成されている。搬送管４０を35ｃｍ程度の長さにすることによって、直接耕作地面Ｄに種子Ｓを播種することができるため、播種作業において腰を屈めることなく楽な姿勢で農作業ができる。
【００３６】
耕作具５０は、前記のように播種作業負担を軽減する長手仕様の搬送管４０としたときに、任意に該搬送管４０の先端部に装着するものである。該耕作具５０は、耕作地面Ｄに種子Ｓを播種するため播種用溝掘り機能と、播種後に種子Ｓを土壌で被覆するための土寄せ機能を果たす耕作用突起５１を搬送管４０の先端部に形成すると共に、搬送管４０より搬送された種子Ｓを該搬送管４０の延長方向から向きを変えて放出させるための放出口５２を設けて形成されるもので、先端部に播種用溝掘り機能と土寄せ機能を備える耕作用突起５１を形成することにより、播種溝堀り作業ならびに土寄せ作業を同時に行うことができる。
【００３７】
図２（ｂ）は、本発明のハンドタイプの種子選定リングの実施形態を示す説明図である。
種子選定リング１３は、種子選定通過孔２２が基本的な孔径の1.8ｍｍ、2.5ｍｍ、3.0ｍｍ、4.5ｍｍ、6.5ｍｍの５種類程度を揃え、それ以外は、播種する野菜や草花の種類や大きさに合わせて揃えればよい。
【００３８】
図３は、本発明に係る種子選定機構１２の説明図である。図３（ａ）は一粒播種、（ｂ）は二粒播種、図３（ｃ）は三粒播種時の例をそれぞれ示している。例えば、直径が約１．５ｍｍ程度の種子を一粒播種する場合において、種子選定リング１３の種子選定通過孔２２の内径が１．８ｍｍで厚みが５ｍｍのものを用いた場合、種子選定リング１３内には３個程度充填されることになる。そこで、スライドレバー２０に設けられている棒状のストッパーピン２６の位置を、種子選定リング１３とスライドバー２０の接触面から１．５ｍｍから１．８mm程度の距離を離して位置させれば、二個目以降はストッパーピン２６に遮られて落ちることはなく、一粒播種が可能となる。また、係るストッパーピン２６位置を種子直径の約２倍、約３倍とすれば、図３（ｂ）や図３（ｃ）のように任意の個数選択による播種が可能となる。
【００３９】
図４は、本発明のハンドタイプの播種器における請求項１記載の作動状態を示す要部断面説明図であり、図４（a）は、スライドレバー２０に設けられている棒状のストッパーピン２６が上方に位置することで種子選定リング１３の種子選定通過孔２２が開放され、スライドレバー２０の種子通過孔２８が閉じている状態を示す。種子収納容器３０に収納されている種子Ｓが、種子収納容器排出口３３から種子導入ホルダー１５のホッパー部１８に集結され、該集結した種子Ｓが、種子収納容器３０に収納されている種子Ｓの自重で種子導入ホルダー１５の中心の種子通過孔２８ならびに種子選定リング１３の種子選定通過孔２２に序列される。
【００４０】
図４（ｂ）は、スライドレバー２０が下方にスライドし、種子選定リング１３の種子選定通過孔２２が棒状のスライドピン２６によって遮断され、スライドレバー２０の種子通過孔２８が開放されて搬送管４０に落下搬送される状態を示す。種子導入ホルダー１５のピン穴１６と種子選定リング１３のピン溝１４を通過する棒状のスライドピン２６と、種子選定リング１３の下方面を摺動するスライドレバー２０の遮断壁２３を形成する摺動板２１によって種子Ｓは一粒毎に遮断される。
【００４１】
図４（ｃ）は、スライドレバー２０が下方にスライドし、種子導入ホルダー１５の棒状のスライドピン２６を短く設定することで、種子導入ホルダー１５の種子通過孔２８と、種子選定リング１３の種子選定通過孔２２と、スライドレバー２０の種子通過孔２８が開放されることで搬送管４０に連続的に落下搬送される状態を示している。種子導入ホルダー１５の種子通過孔２８と種子選定リング１３の種子選定通過孔２２とスライドレバー２０の種子通過孔２８を同時に開放することで、種子Ｓは遮断されることなく連続的に播種することができるものである。
【００４２】
図４（ｄ）は、スライドレバー２０がマグネット部２５の反発作用で上方に位置に戻され、種子選定リング１３の種子選定通過孔２２が開放され、スライドレバー２０の種子通過孔２８が閉じている状態を示している。一粒毎に遮断された種子Ｓは、スライドレバー２０が上方にスライドすることによって遮断壁２３が上方に位置して種子選定リング１３の種子選定通過孔２２が閉じられる。
【００４３】
図５は、本発明のハンドタイプの播種器における請求項２記載の播種作業の手順を示す説明図である。
（1）畑や菜園などの現地にハンドタイプの播種器１を持参する。
（2）ハンドタイプの播種器１の先端部の耕作具５０を耕作地面Ｄに押し当てて播種溝堀り作業を行う。
（3）ハンドタイプの播種器１のスライドレバー２０を操作して種子Ｓを放出する。
（4）ハンドタイプの播種器１の先端部に設けたヘラ５３で土寄せ作業を行う。
【００４４】
以上のような簡単な作業で、播種溝堀り作業ならびに土寄せ作業が同時に行えるもので、
腰を曲げることなく、一粒毎に正確に播種作業が出来るものである。
【００４５】
図６は、本発明のハンドタイプの播種器における請求項３記載の実施形態を示す拡散分解図である。本発明のハンドタイプの播種器１は、種子選定機構１２の複数の種子選定リング１３が、孔径が異なる種子選定通過孔６１を一列に列設するスライドプレート６０に着脱自在に装着され、該スライドプレート６０が、種子導入ホルダー１５の端部とスライドレバー２０の間に当接してラチェットストッパー６２の作動範囲で摺動することで、種子選定通過孔６１の選択機能を有する種子選定機構１２である構造を有するもので、スライドプレート６０をスライドさせることによって種子Ｓの大きさや種類に合った種子選定通過孔６１を任意に設定することができるものである。
【実施例２】
【００４６】
図７は、本発明のハンドタイプの播種器における請求項３記載の実施形態を示す断面説明図である。下記に動作手順を説明する。
（1）スライドプレート６０の種子選定通過孔６１を目的とする種子Ｓの大きさに合わせてスライドさせる。
（2）本体１０を下方に向けることによって、種子収納容器３０に収納されている種子Ｓが、種子導入ホルダー１５のホッパー部１８に集結される。
（3）種子導入ホルダー１５のホッパー部１８に集結した種子Ｓが、種子収納容器３０に収納されている種子Ｓの重みで種子導入ホルダー１５の中心の種子通過孔２８に序列される。
（4）種子導入ホルダー１５のピン穴１６とスライドプレート６０のピン溝１４を通過する棒状のスライドピン２６と、スライドプレート６０の下方面を摺動するスライドレバー２０の遮断壁２３を形成する摺動板２１によって種子Ｓは一粒毎に遮断される。
（5）また、種子導入ホルダー１５の種子通過孔２８とスライドプレート６０の種子選定通過孔６１とスライドレバー２０の種子通過孔２８を同時に開放することで、種子Ｓは遮断されることなく連続的に播種することもできる。
（6）一粒毎に遮断された種子Ｓは、スライドレバー２０が上方にスライドすることによって遮断壁２３が上方に位置し、スライドレバー２０の種子通過孔２８が開放され、自重で搬送管４０に放出される。
（7）種子Ｓを耕作地面Ｄに播種する。（図５参照）
【実施例３】
【００４７】
図８は、本発明のハンドタイプの播種器における請求項４記載の実施形態を示す拡散分解図である。本発明のハンドタイプの播種器１は、種子選定機構１２の複数の種子選定リング１３が、孔径が異なる種子選定通過孔７１を円周状に列設する回転プレート７０に着脱自在に装着され、該回転プレート７０が、種子導入ホルダー１５の端部とスライドレバー２０の間に当接してラチェットストッパー６２の作動範囲で摺動することで、種子選定通過孔７１の選択機能を有する種子選定機構１２である構造を有するもので、回転プレート７０を回転させることによって種子Ｓの大きさや種類に合った種子選定通過孔７１を任意に設定することができるものである。
【００４８】
図９は、本発明のハンドタイプの播種器における請求項４記載の実施形態を示す断面説明図である。下記に動作手順を説明する。
（1）回転プレート７０の種子選定通過孔７１を目的とする種子Ｓの大きさに合わせて回転させる。
（2）本体１０を下方に向けることによって、種子収納容器３０に収納されている種子Ｓが、種子導入ホルダー１５のホッパー部１８に集結される。
（3）種子導入ホルダー１５のホッパー部１８に集結した種子Ｓが、種子収納容器３０に収納されている種子Ｓの重みで種子導入ホルダー１５の中心の種子通過孔２８に序列される。
（4）種子導入ホルダー１５のピン穴１６と回転プレート７０のピン溝１４を通過するスライドピン２６と、回転プレート７０の下方面を摺動するスライドレバー２０の遮断壁２３を形成する摺動板２１によって種子Ｓは一粒毎に遮断される。
（5）また、種子導入ホルダー１５の種子通過孔２８と回転プレート７０の種子選定通過孔７１とスライドレバー２０の種子通過孔２８を同時に開放することで、種子Ｓは遮断されることなく連続的に播種することもできる。
（６）一粒毎に遮断された種子Ｓは、スライドレバー２０が上方にスライドすることによって遮断壁２３が上方に位置し、回転プレート７０の種子選定通過孔７１が開放され、種子Ｓの自重で搬送管４０に放出される。
（7）種子Ｓを耕作地面Ｄに播種する。（図５参照）
【産業上の利用可能性】
【００４９】
本発明のハンドタイプの播種器は、種子を傷つけることなく種子の種類や大きさに合わせて一粒毎ならびに多粒毎に切り替えて、分離、搬送、播種できるハンドタイプの播種器であることから、農作業、園芸用の播種作業用としてや、果樹や植木、菜園の粒状肥料の散布器としてや、魚類養殖用の餌やり器としても使用できるもので、本発明におけるハンドタイプの播種器の産業上の利用可能性は大とするものと解する。
【符号の説明】
【００５０】
１    ハンドタイプの播種器
１０  本体
１１  種子投入穴
１２  種子選定機構
１３  種子選定リング
１４  ピン溝
１５  種子導入ホルダー
１６  ピン孔
１７  種子搬出穴
１８  ホッパー部
１９  スライド溝穴
２０  スライドレバー
２１  摺動板
２２  種子選定通過孔
２３  遮断壁
２５  マグネット部
２６  ストッパーピン
２７  ピン穴
２８  種子通過孔
３０  種子収納容器
３１  種子投入口
３２  種子収納貯蔵部
３３  種子収納容器排出口
３４  密封キャップ
４０  搬送管
５０  耕作具  
５１  耕作用突起
５２  放出口  
５３  ヘラ
６０  スライドプレート
６１  種子選定通過孔
６２  ラチェットストッパー
７０  回転プレート
７１  種子選定通過孔
７２  ラチェットストッパー
Ｓ    種子
Ｄ    耕作地面
【図１】
2012170451.tif 000003
【図２】
2012170451.tif 000004
【図３】
2012170451.tif 000005
【図４】
2012170451.tif 000006
【図５】
2012170451.tif 000007
【図６】
2012170451.tif 000008
【図７】
2012170451.tif 000009
【図８】
2012170451.tif 000010
【図９】
2012170451.tif 000011
【手続補正書】
【提出日】平成23年8月20日(2011.8.20)
【手続補正１】
【補正対象書類名】特許請求の範囲
【補正対象項目名】請求項１
【補正方法】変更
【補正の内容】
【請求項１】
種子収納容器と本体と搬送管とで構成されるハンドタイプの播種器であって、
前記種子収納容器は、中空の透明素材で形成し、
該中空部を種子収納貯蔵部として利用し、
一端を種子投入口として形成して密封キャップで止栓し、
他端を種子収納容器排出口として前記本体の種子導入穴又は種子導入ホルダーに着脱自在に連結可能な形状に形成して成り、
前記本体は、種子選定機構を備え、該種子選定機構の前後には前記種子導入穴と種子排出穴が連通するように穿設し、該種子導入穴と該種子排出穴の間にはスライドレバーを摺動状態でスライド可能にするためのスライド溝穴を形成し、
前記種子導入穴の本体端部は、前記種子収納容器排出口又は前記種子導入ホルダーを着脱自在に連結可能な形状に形成し、該種子導入穴の内部には、中心に種子選定通過孔を設けた種子選定リングを内設する前記種子導入ホルダーを着脱自在に設けると共に、
該種子排出穴の本体端部は、前記搬送管を着脱自在に連結可能に形成し、
前記種子選定機構は、種子通過孔と遮断壁を形成する摺動板と種子の数量を限定する棒状のストッパーピンと磁力の反発作用で往復起動するマグネット部とを備える前記スライドレバーを、前記種子導入穴と前記種子排出穴との間に直交させて、種子の通過を遮断可能とすると共に、前記種子選定リング内に複数の種子が装填されるのを防ぐ機能及び任意の個数の種子の装填を可能とするために、該ストッパーピンを種子選定リング内部から外部までスライドして位置決め固定できる構造とし、
前記搬送管は、中空の透明素材で形成し、前記本体の種子排出穴の本体端部に着脱自在に連結可能な形状に形成して成ることを特徴とするハンドタイプの播種器。
【手続補正２】
【補正対象書類名】明細書
【補正対象項目名】００１４
【補正方法】変更
【補正の内容】
【００１４】
本発明のハンドタイプの播種器は、種子収納容器と本体と搬送管とで構成されるハンドタイプの播種器であって、前記種子収納容器は、中空の透明素材で形成し、該中空部を種子収納貯蔵部として利用し、一端を種子投入口として形成して密封キャップで止栓し、他端を種子収納容器排出口として前記本体の種子導入穴又は種子導入ホルダーに着脱自在に連結可能な形状に形成して成り、前記本体は、種子選定機構を備え、該種子選定機構の前後には前記種子導入穴と種子排出穴が連通するように穿設し、該種子導入穴と該種子排出穴の間にはスライドレバーを摺動状態でスライド可能にするためのスライド溝穴を形成し、前記種子導入穴の本体端部は、前記種子収納容器排出口又は前記種子導入ホルダーを着脱自在に連結可能な形状に形成し、該種子導入穴の内部には、中心に種子選定通過孔を設けた種子選定リングを内設する前記種子導入ホルダーを着脱自在に設けると共に、該種子排出穴の本体端部は、前記搬送管を着脱自在に連結可能に形成し、前記種子選定機構は、種子通過孔と遮断壁を形成する摺動板と種子の数量を限定する棒状のストッパーピンと磁力の反発作用で往復起動するマグネット部とを備える前記スライドレバーを、前記種子導入穴と前記種子排出穴との間に直交させて、種子の通過を遮断可能とすると共に、前記種子選定リング内に複数の種子が装填されるのを防ぐ機能、及び任意の個数の種子の装填を可能とするために、該ストッパーピンを種子選定リングの内部から外部までスライドして位置決め固定できる構造とし、前記搬送管は、中空の透明素材で形成し、前記本体の種子排出穴の本体端部に着脱自在に連結可能な形状に形成して成る手段を採る。
【手続補正３】
【補正対象書類名】明細書
【補正対象項目名】００２７
【補正方法】変更
【補正の内容】
【００２７】
本体１０は、種子選定機構１２を備え、該種子選定機構１２の前後には種子導入穴１１と種子排出穴１７が連通するように穿設し、該種子導入穴１１と該種子排出穴１７の間にはスライドレバー２０を摺動状態でスライド可能にするためのスライド溝穴１９を形成し、種子導入穴１１の本体端部は、種子収納容器排出口３３又は種子導入ホルダー１５を着脱自在に連結可能な形状に形成し、該種子導入穴１１の内部には、種子選定リング１３を内設する種子導入ホルダー１５を着脱自在に設けると共に、該種子排出穴１７の本体端部は、搬送管４０を着脱自在に連結可能に形成されるもので、種子を一粒毎にまたは連続的に放出し、さらに、種子Ｓの表面を傷つけない構造を有するものである。
【手続補正４】
【補正対象書類名】明細書
【補正対象項目名】００２８
【補正方法】変更
【補正の内容】
【００２８】
種子選定機構１２は、種子通過孔２８と遮断壁２３を形成する摺動板２１と種子Ｓの数量を限定する棒状のストッパーピン２６と磁力の反発作用で往復起動するマグネット部２５とを備えるスライドレバー２０を、種子導入穴１１と種子排出穴１７との間に直交させて、種子Ｓの通過を遮断可能とすると共に、種子選定リング１３内に複数の種子Ｓが装填されるのを防ぐ機能を本体１０に取り付け、種子Ｓの大きさや種類に合わせて着脱自在に設けられるものである。そして、該ストッパーピン２６は図３に示すように、スライドレバー２０の保持部により位置決めをすることによって、所望する種子数を選定できる構造となっている。
【手続補正５】
【補正対象書類名】明細書
【補正対象項目名】００５０
【補正方法】変更
【補正の内容】
【００５０】
１    ハンドタイプの播種器
１０  本体
１１  種子導入穴
１２  種子選定機構
１３  種子選定リング
１４  ピン溝
１５  種子導入ホルダー
１６  ピン孔
１７  種子排出穴
１８  ホッパー部
１９  スライド溝穴
２０  スライドレバー
２１  摺動板
２２  種子選定通過孔
２３  遮断壁
２５  マグネット部
２６  ストッパーピン
２７  ピン穴
２８  種子通過孔
３０  種子収納容器
３１  種子投入口
３２  種子収納貯蔵部
３３  種子収納容器排出口
３４  密封キャップ
４０  搬送管
５０  耕作具  
５１  耕作用突起
５２  放出口  
５３  ヘラ
６０  スライドプレート
６１  種子選定通過孔
６２  ラチェットストッパー
７０  回転プレート
７１  種子選定通過孔
７２  ラチェットストッパー
Ｓ    種子
Ｄ    耕作地面